(57)【要約】【課題】踵を収納する踵ホルダが靴を履いた状態において確実に保持されるので履き心地にはなんら問題のない靴の踵部分開閉機構を提供することを目的とするものである。【解決手段】前記踵ホルダの足底部の下面に下向きに垂設した係合用フックは、前記踵ホルダの足底部を使用者が踵で踏み込んだ際に、前記靴踵部に設けた前記フック係合部に係合して前記踵ホルダを正常位置に保持し、かつ、前記フック係合部を前記弾性体バネの付勢力に抗して後退させて、前記係合用フックをフック係合部から解放することにより、前記踵ホルダの足底部を前記踵ホルダ弾性支持部材により上方に押し上げて靴の足挿入口を開き、足を靴に納めやすい角度にすることができるようにした。【選択図】図４
2020114373.tif 000002
【特許請求の範囲】
【請求項１】
靴の踵部分に収納され、足の踵部が保持される足底部と足後部とからなるＬ字形の踵ホルダと、該踵ホルダをその屈曲部に取り付けた回動軸によって回動可能に保持するとともに、前記踵ホルダの足底部を押し上げる踵ホルダ弾性支持部材を備えた靴踵部と、前記踵ホルダの足底部の下面に下向きに垂設した係合用フックと、前記靴踵部の前方位置との間に弾性体バネを介装して靴踵部内に保持され、常態では前記係合用フックに係合するように付勢されているフック係合部とを有し、
前記踵ホルダの足底部の下面に下向きに垂設した係合用フックは、前記踵ホルダの足底部を使用者が踵で踏み込んだ際に、前記靴踵部に設けた前記フック係合部に係合して前記踵ホルダを正常位置に保持し、
かつ、前記フック係合部を前記弾性体バネの付勢力に抗して後退させて、前記係合用フックをフック係合部から解放することにより、前記踵ホルダの足底部を前記踵ホルダ弾性支持部材により上方に押し上げて靴の足挿入口を開き、足を靴に納めやすい角度にすることができるようにしたことを特徴とする靴の踵部分開閉機構。
【請求項２】
前記フック係合部は、前記弾性体バネの反対側において、前記靴踵部の後方から突出させた押しボタンを備え、該押しボタンを押すことにより前記係合用フックを前記弾性体バネの付勢力に抗して後退させ、前記係合用フックをフック係合部から解放するようにしたことを特徴とする請求項１に記載の靴の踵部分開閉機構。
【請求項３】
前記踵ホルダ弾性支持部材は、前記靴踵部に垂直方向に内蔵したコイル状スプリングからなることを特徴とする請求項１に記載の靴の踵部分開閉機構。
【請求項４】
前記靴の後端部分は、前記踵ホルダの回動に伴って伸縮自在としてあることを特徴とする請求項１に記載の靴の踵部分開閉機構。
【請求項５】
靴の踵部分に収納され、足の踵部が保持される足底部と足後部とからなるＬ字形の踵ホルダと、足の側部が保持される足底部と足側部とからなる左右一対のＬ字形の側部ホルダとを備え、該踵ホルダおよび一対の側部ホルダをその屈曲部に取り付けた回動軸によって回動可能に保持するとともに、前記踵ホルダおよび一対の側部ホルダの足底部を押し上げる側部ホルダ弾性支持部材を備えた靴踵部と、前記踵ホルダの足底部の下面に下向きに垂設した係合用フックと、前記靴踵部の前方位置との間に弾性体バネを介装して靴踵部内に保持され、常態では前記係合用フックに係合するように付勢されているフック係合部とを有し、
前記踵ホルダの足底部の下面に下向きに垂設した係合用フックは、前記踵ホルダの足底部を使用者が踵で踏み込んだ際に、前記靴踵部に設けた前記フック係合部に係合して前記踵ホルダおよび一対の側部ホルダを正常位置に保持し、
かつ、前記フック係合部を前記弾性体バネの付勢力に抗して後退させて、前記係合用フックをフック係合部から解放することにより、前記踵ホルダおよび一対の側部ホルダの足底部を前記側部ホルダ弾性支持部材により上方に押し上げて靴の足挿入口を開き、足を靴に納めやすい角度にすることができるようにしたことを特徴とする靴の踵部分開閉機構。
【発明の詳細な説明】
【技術分野】
【０００１】
本発明は靴を着脱容易とする靴の踵部分開閉機構に関する。
【背景技術】
【０００２】
従来のこの種の靴としては特開平１１−１２７９０７号公報（特許文献１参照）に示されたような、足の踵部が載置される踵底部と、該踵底部の後部に立設して足の踵部後面を覆って当接する靴の当接片とを略直角に一体に結合した踵受け台を形成し、該踵受け台の踵底部と当接片の後端部に回動軸を埋設し、踵受け台が回動軸を中心にして回動するように構成したものが知られている。
そして、踵底部の中心部に弾性体バネを固着して踵底部を上方に押し上げるように弾性を保持し、かつ前記踵底部の先端に設けたフック突出部と係止する靴踵部のフック係止部を設けてある。
【０００３】
しかしながら、特開平１１−１２７９０７号公報（特許文献１参照）の第１発明（図１、図２）、第２発明（図３〜図６）および第３発明（図７、図８）においては踵を収納するＬ字形部分は靴を履いた状態における確実な保持手段がなく、常に弾性体バネに押されてＬ字形部分に開こうとする力が作用し、履き心地が悪いという問題点があった。
また第４発明（図９、図１０）および第５発明（図１１、図１２）においては押しボタンが靴の側面に突出しているために、歩行中等に靴が押しボタンに接触して誤動作が起きやすいという問題点があった。
【０００４】
そこで本発明者は、特願２０１０−１０７７８２号（特開２０１１−２３４８４０号公報、特許文献２参照）において、靴の踵部分に収納され、足の踵部が保持される足底部と足後部とからなるＬ字形の踵ホルダと、該踵ホルダをその後端部に取り付けた回動軸によって回動可能に保持するとともに、前記踵ホルダの足底部を押し上げる踵ホルダ弾性支持部材を備えた靴踵部と、前記踵ホルダの足底部の下面に下向きに垂設した係合用フックと、前記靴踵部の前方位置との間に弾性体バネを固着して靴踵部内に保持され、常態では前記係合用フックに係合するように付勢されているフック係合部とを有し、
前記踵ホルダの足底部の下面に下向きに垂設した係合用フックは、前記踵ホルダの足底部を使用者が踵で踏み込んだ際に、前記靴踵部に設けた前記フック係合部に係合して前記踵ホルダを正常位置に保持し、
かつ、前記係合用フックを前記弾性体バネの付勢力に抗して後退させて、前記フックを係合部から解放することにより、前記踵ホルダの足底部を前記踵ホルダ弾性支持部材により上方に押し上げて靴の足挿入口を開き、足を靴に納めやすい角度にすることができるようにしたことを特徴とする靴の踵部分開閉機構を提案した。
【先行技術文献】
【特許文献】
【０００５】
【特許文献１】特開平１１−１２７９０７号公報
【特許文献２】特開２０１１−２３４８４０号公報（特願２０１０−１０７７８２号）
【発明の概要】
【発明が解決しようとする課題】
【０００６】
しかしながら、特願２０１０−１０７７８２号（特開２０１１−２３４８４０号公報、特許文献２参照）においては、それを構成する部品数が多く、構造が複雑なために耐久性に乏しいという問題点があった。
そこでこの発明は、足の踵部を楽に抜くことができ、足を靴から容易に離脱することができる構造の靴の踵部分開閉機構であって、踵を収納する踵ホルダが靴を履いた状態において確実に保持されるので履き心地にはなんら問題がなく、また構造が単純で大幅にコストを抑えることが可能な靴の踵部分開閉機構を提供することを目的とするものである。
【課題を解決するための手段】
【０００７】
すなわちこの発明の靴の踵部分開閉機構は、靴の踵部分に収納され、足の踵部が保持される足底部と足後部とからなるＬ字形の踵ホルダと、該踵ホルダをその屈曲部に取り付けた回動軸によって回動可能に保持するとともに、前記踵ホルダの足底部を押し上げる踵ホルダ弾性支持部材を備えた靴踵部と、前記踵ホルダの足底部の下面に下向きに垂設した係合用フックと、前記靴踵部の前方位置との間に弾性体バネを介装して靴踵部内に保持され、常態では前記係合用フックに係合するように付勢されているフック係合部とを有し、
前記踵ホルダの足底部の下面に下向きに垂設した係合用フックは、前記踵ホルダの足底部を使用者が踵で踏み込んだ際に、前記靴踵部に設けた前記フック係合部に係合して前記踵ホルダを正常位置に保持し、
かつ、前記フック係合部を前記弾性体バネの付勢力に抗して後退させて、前記係合用フックをフック係合部から解放することにより、前記踵ホルダの足底部を前記踵ホルダ弾性支持部材により上方に押し上げて靴の足挿入口を開き、足を靴に納めやすい角度にすることができるようにしたことを特徴とするものである。
【０００８】
この発明の靴の踵部分開閉機構において、前記フック係合部は、前記弾性体バネの反対側において、前記靴踵部の後方から突出させた押しボタンを備え、該押しボタンを押すことにより前記係合用フックを前記弾性体バネの付勢力に抗して後退させ、前記係合用フックをフック係合部から解放するようにしたことをも特徴とするものである。
【０００９】
この発明の靴の踵部分開閉機構において、前記踵ホルダ弾性支持部材は、前記靴踵部に垂直方向に内蔵したコイル状スプリングからなることをも特徴とするものである。
【００１０】
この発明の靴の踵部分開閉機構において、前記靴の後端部分は、前記踵ホルダの回動に伴って伸縮自在としてあることをも特徴とするものである。
【００１１】
さらにこの発明の靴の踵部分開閉機構は、靴の踵部分に収納され、足の踵部が保持される足底部と足後部とからなるＬ字形の踵ホルダと、足の側部が保持される足底部と足側部とからなる左右一対のＬ字形の側部ホルダとを備え、該踵ホルダおよび一対の側部ホルダをその屈曲部に取り付けた回動軸によって回動可能に保持するとともに、前記踵ホルダおよび一対の側部ホルダの足底部を押し上げる側部ホルダ弾性支持部材を備えた靴踵部と、前記踵ホルダの足底部の下面に下向きに垂設した係合用フックと、前記靴踵部の前方位置との間に弾性体バネを介装して靴踵部内に保持され、常態では前記係合用フックに係合するように付勢されているフック係合部とを有し、
前記踵ホルダの足底部の下面に下向きに垂設した係合用フックは、前記踵ホルダの足底部を使用者が踵で踏み込んだ際に、前記靴踵部に設けた前記フック係合部に係合して前記踵ホルダおよび一対の側部ホルダを正常位置に保持し、
かつ、前記フック係合部を前記弾性体バネの付勢力に抗して後退させて、前記係合用フックをフック係合部から解放することにより、前記踵ホルダおよび一対の側部ホルダの足底部を前記側部ホルダ弾性支持部材により上方に押し上げて靴の足挿入口を開き、足を靴に納めやすい角度にすることができるようにしたことをも特徴とするものである。
【発明の効果】
【００１２】
以上の説明から既に明らかなように第１発明の靴の踵部分開閉機構は、踵を収納する踵ホルダが靴を履いた状態において確実に保持されるので履き心地にはなんら問題がなく、また靴の側面に押しボタン等の余分の突起物がないので、歩行中等に靴の一方が他方の靴の押しボタン等に接触して誤動作が起きるという問題もない。
さらにほとんどのパーツが靴踵部に収納されているため機能性に優れ、かつ維持管理がしやすいというメリットがある。
【００１３】
第２発明の靴の踵部分開閉機構において、前記フック係合部は、前記弾性体バネの反対側において、前記靴踵部の後方から突出させた押しボタンを備え、該押しボタンを押すことにより前記係合用フックを前記弾性体バネの付勢力に抗して後退させ、前記係合用フックをフック係合部から解放するので、フックと係合ピンの着脱が確実かつ迅速に行うことができる。
【００１４】
第３発明の靴の踵部分開閉機構において、前記踵ホルダ弾性支持部材は、前記靴踵部に垂直方向に内蔵したコイル状スプリングからなっているので、前記踵ホルダの回動機構の作動を長期間にわたって保証することができる。
【００１５】
第４発明の靴の踵部分開閉機構は、前記靴の後端部分が前記踵ホルダの回動に伴って伸縮自在としてあり、この発明の目的とする靴の履きやすさはもちろん、靴としての基本的な機能を損なうことがない。
【００１６】
第５発明の靴の踵部分開閉機構は、足の踵部が保持される足底部と足後部とからなるＬ字形の踵ホルダと、足の側部が保持される足底部と足側部とからなる左右一対のＬ字形の側部ホルダとを備えており、かつ側部ホルダを踵ホルダと連動するようにしてあるので、この発明の目的とする靴の履きやすさはもちろん、靴としての基本的な機能を損なうことがない。
【図面の簡単な説明】
【００１７】
【図１】この発明の靴の踵部分開閉機構を適用した靴を示し、踵ホルダを閉じた状態の側面断面図である。
【図２】その概略斜視図である。
【図３】踵ホルダを開いた状態の側面断面図である。
【図４】その概略斜視図である。
【図５】この発明の靴の踵部分開閉機構を示し、靴踵部を常態の位置に保持した状態の斜視図である。
【図６】押しボタンを押して係合用フックを前記弾性体バネの付勢力に抗して後退させた状態の斜視図である。
【図７】係合用フックの係合状態が解除されて踵ホルダが開いている状態の靴の踵部分開閉機構の側面断面図である。
【図８】踵ホルダを踏み込む途中の状態の靴の踵部分開閉機構の側面断面図である。
【図９】踵ホルダをさらに踏み込んで係合用フックをフック係合部に係合させようとしている状態の靴の踵部分開閉機構の側面断面図である。
【図１０】踵ホルダと靴踵部とが結合した状態の側面断面図である。
【図１１】押しボタンを押して係合用フックをフック係合部から解除しようとしている状態の側面断面図である。
【図１２】押しボタンを押して係合用フックを前記弾性体バネの付勢力に抗して後退させ、係合を解除しつつある状態の側面断面図である。
【図１３】係合が解除されて踵ホルダが開いている状態の靴の踵部分開閉機構の側面断面図である。
【図１４】この発明の靴の踵部分開閉機構を適用した靴の他の例を示し、踵ホルダを閉じた状態の側面断面図である。
【図１５】その概略斜視図である。
【図１６】踵ホルダおよび側部ホルダを開いた状態の側面断面図である。
【図１７】その概略斜視図である。
【図１８】この発明の靴の踵部分開閉機構を示し、靴踵部を常態の位置に保持した状態の斜視図である。
【図１９】押しボタンを押して係合用フックを前記弾性体バネの付勢力に抗して後退させた状態の斜視図である。
【図２０】踵ホルダおよび側部ホルダを閉じた状態の側面斜視図である。
【図２１】踵ホルダおよび側部ホルダを開いた状態の側面斜視図である。
【発明を実施するための形態】
【００１８】
以下図面に基いて、この発明の靴の踵部分開閉機構の実施の形態を詳細に説明する。
図１ないし図４に示すように、この発明の靴の踵部分開閉機構を適用した靴においては、靴１１を履く時は、靴１１の踵ホルダ１２が常時は上方に撥ね上げられ、さらに靴１１の踵部が開いてあるので（図１および図２参照）足先を挿入し易く、足の踵を挿入するときも踵ホルダ１２は踵の押し込みによって自動的に回動して（図３および図４参照）、正常位置に保持することができる。
このようにして、靴１１の踵部が足裏に密着して、身体を屈めることなくそのままの姿勢で靴１１を履くことができ、靴べら等の補助具を不要とすることができる。
図において１４は、靴１１の後端部分１３の両側に設けたゴム等の弾性素材からなる伸縮部材で、前記踵ホルダ１２の回動に伴って伸縮するよう構成されている。
【実施例１】
【００１９】
以下、この発明の靴の踵部分開閉機構２１の１実施例を詳細に説明する。
この実施例の靴の踵部分開閉機構２１は図１ないし図６に示すように、靴の踵部分に収納され、足の踵部が保持される足底部２２と足後部２３とからなるＬ字形の踵ホルダ１２と、該踵ホルダ１２をその屈曲部に取り付けた回動軸２４によって回動可能に保持する靴踵部２５とを備えている。
図において２６は、前記踵ホルダ１２の足底部２２下面から下向きに垂設した係合用フックである。
【００２０】
さらに前記靴踵部２５は、上面を開口した容器状ハウジング３１と、前記ハウジング３１の長さ方向に沿って所定の間隔で配設した一対の棒状ガイド３２と、その間に差し渡された仕切り板３３とを備えている。
そして、前記仕切り板３３の前方側の前記一対の棒状ガイド３２上にはそれぞれコイル状ばね３４が介装されており、前記仕切り板３３と前記靴踵部２５の容器状ハウジング３１前壁との間において弾発力が作用するようになっている。
【００２１】
より詳しくは、前記一対の棒状ガイド３２の隙間において、前記仕切り板３３と前記靴踵部２５の容器状ハウジング３１後壁との間には、後方に向いた庇３５ａを備えたフック係合部３５を搭載したスライド台３６が差し渡されている。このスライド台３６は、前記コイル状ばね３４の弾発力によって常態では後方に向けて付勢されている。
図において３７は、前記靴踵部２５の容器状ハウジング３１の前方に垂直方向に向けて配設された踵ホルダ弾性支持部材で、より大きなコイル状ばねで構成されていて前記踵ホルダ１２の足底部２２を押し上げるためのものである。
また３８は、前記スライド台３６の後端に取り付けられ、前記靴踵部２５後部から突出させた押しボタンである。
【００２２】
図７ないし図１０は靴を履くときの靴の踵部分開閉機構の動きを説明するためのものである。
＜図７＞
前記踵ホルダ１２の足底部２２が前記踵ホルダ弾性支持部材３７により上方に押し上げられた状態である。
＜図８＞
そこで前記踵ホルダ１２の足底部２２を足の踵で押し込むと、前記踵ホルダ弾性支持部材３７の弾発力に抗して押下げられた前記係合用フック２６の先端はフック係合部３５の庇３５ａに当接する。
＜図９＞
そのまま前記踵ホルダ１２の足底部２２を足の踵で押し込むと、前記係合用フック２６の先端はフック係合部３５の庇３５ａに係合してフック係合部３５を後退させる。
＜図１０＞
さらに前記踵ホルダ１２の足底部２２を足の踵で押し込むと、前記踵ホルダ弾性支持部材３７は最下端まで押下げられ、前記係合用フック２６の先端はフック係合部３５の庇３５ａの先端を通過し、庇３５ａの下面と係合し、前記踵ホルダ弾性支持部材３７は前記踵ホルダ１２の足底部２２を押し上げなくなって、前記踵ホルダ１２は靴を履いた正常位置に保持される。
【００２３】
図１１ないし図１３は靴を脱ぐときの靴の踵部分開閉機構の動きを説明するためのものである。
＜図１１＞
前記係合用フック２６の先端はフック係合部３５の庇３５ａの下面と係合し、前記踵ホルダ１２は靴を履いた正常位置に保持された状態である。
＜図１２＞
次いで、前記スライド台３６の後端に取り付けられ、前記靴踵部２５後部から突出させた押しボタン３８に矢印方向の負荷を掛けて、前記コイル状ばね３１の付勢力に抗して後退させる。
＜図１３＞
そのまま後退を続けると、前記係合用フック２６の先端はフック係合部３５の庇３５ａとの係合を解かれる。
その際、前記踵ホルダ１２の足底部２２は前記踵ホルダ弾性支持部材３７により上方に押し上げられた状態となる。
【実施例２】
【００２４】
次に、この発明の靴の踵部分開閉機構の実施の形態の他の例を図１４ないし図２１に基いて詳細に説明する。
この実施例の靴の踵部分開閉機構４１は図１４ないし図１９に示すように、靴の踵部分に収納され、足の踵部が保持される足底部４３ａと足後部４３ｂとからなるＬ字形の踵ホルダ４２と、足の側部が保持される足底部４６と足側部４７とからなる左右一対のＬ字形の側部ホルダ４４，４５とを備えており、該踵ホルダ４２および側部ホルダ４４，４５をその屈曲部に取り付けた回動軸４９によって回動可能に保持する靴踵部４８とを備えている。
図において５０は、前記踵ホルダ４２の足底部４３ａ下面から下向きに垂設した係合用フックである。
【００２５】
さらに前記靴踵部４８は、上面を開口した容器状ハウジング５１と、前記ハウジング５１の長さ方向に沿って所定の間隔で配設した一対の棒状ガイド５２と、その間に差し渡されたスライド台５３とを備えている。
そして、前記スライド台５３の前方側の前記一対の棒状ガイド５２上にはそれぞれコイル状ばね５４が介装されており、前記スライド台５３と前記靴踵部４８の容器状ハウジング５１前壁との間において弾発力が作用するようになっている。
【００２６】
より詳しくは、前記一対の棒状ガイド５２の隙間において、前記スライド台５３には後方に向いた庇５５ａを備えたフック係合部５５が搭載されている。このスライド台５３は、前記コイル状ばね５４の弾発力によって常態では後方に向けて付勢されている。
図において５６はスライド台５３の位置決めのためのスペーサ（ストッパ）、５７は前記靴踵部４８の容器状ハウジング５１の前方に垂直方向に向けて配設された側部ホルダ弾性支持部材で、より大きなコイル状ばねで構成されていて前記側部ホルダ４４，４５の足底部４６を押し上げるためのものである。
また５８は、前記スライド台５３の後端に取り付けられ、前記靴踵部４８後部から突出させた押しボタンである。
【００２７】
図２０は靴を履いている状態を示す概略斜視図であり、図２１は靴を脱いでいる状態の概略斜視図である。
＜図２０＞
前記踵ホルダ４２の足底部４３ａが前記側部ホルダ４４，４５の足底部４６を介して前記側部ホルダ弾性支持部材５７を押し下げて、前記係合用フック５０の先端がフック係合部５５の庇５５ａの下面と係合することにより、前記踵ホルダ４２および側部ホルダ４４，４５が靴を履いた正常位置に保持されている。
＜図２１＞
前記スライド台５３の後端に取り付けられ、前記靴踵部４８後部から突出させた押しボタン５８に矢印方向の負荷をかけて、前記コイル状バネ５４の付勢力に抗して前記スライド台５３を移動させ、前記係合用フック５０とフック係合部５５の庇５５ａとの係合を解いて、前記側部ホルダ弾性支持部材５７が前記側部ホルダ４４，４５の足底部４６を介して前記踵ホルダ４２が押し上げることにより、前記踵ホルダ４２および側部ホルダ４４，４５が靴を脱いでいる状態の正常位置に保持されている。
なお、図１８〜図２１において、側部ホルダ４４側の側部ホルダ弾性支持部材５７は図示を省略している。
【産業上の利用可能性】
【００２８】
この発明の靴の踵部分開閉機構は、通常の紳士靴のみならず婦人靴やその他の踵部分を立設した履物類のみならず、革靴、ゴム靴、スニーカーその他の履物にも適用できることはいうまでもない。
【符号の説明】
【００２９】
１１  靴
１２  踵ホルダ
１３  靴の後端部分
１４  伸縮部材
２１  靴の踵部分開閉機構
２２  足底部
２３  足後部
２４  回動軸
２５  靴踵部
２６  係合用フック
３１  容器状ハウジング
３２  棒状ガイド
３３  仕切り板
３４  コイル状ばね
３５  フック係合部
３５ａ  庇
３６  スライド台
３７  踵ホルダ弾性支持部材
３８  押しボタン
４１  靴の踵部分開閉機構
４２  踵ホルダ
４３ａ  足底部
４３ｂ  足後部
４４，４５  側部ホルダ
４６  足底部
４７  足側部
４８  靴踵部
４９  回動軸
５０  係合用フック
５１  容器状ハウジング
５２  棒状ガイド
５３  スライド台
５４  コイル状ばね
５５  フック係合部
５５ａ  庇
５６  スペーサ（ストッパ）
５７  側部ホルダ弾性支持部材
５８  押しボタン
【図１】
2020114373.tif 000003
【図２】
2020114373.tif 000004
【図３】
2020114373.tif 000005
【図４】
2020114373.tif 000006
【図５】
2020114373.tif 000007
【図６】
2020114373.tif 000008
【図７】
2020114373.tif 000009
【図８】
2020114373.tif 000010
【図９】
2020114373.tif 000011
【図１０】
2020114373.tif 000012
【図１１】
2020114373.tif 000013
【図１２】
2020114373.tif 000014
【図１３】
2020114373.tif 000015
【図１４】
2020114373.tif 000016
【図１５】
2020114373.tif 000017
【図１６】
2020114373.tif 000018
【図１７】
2020114373.tif 000019
【図１８】
2020114373.tif 000020
【図１９】
2020114373.tif 000021
【図２０】
2020114373.tif 000022
【図２１】
2020114373.tif 000023